(57)【要約】【課題】エッジライト型モジュールを備える液晶表示装置において、導光板と光源との位置ずれが発生した場合にも、その位置ずれに起因して、導光板から出射される光量が不均一になり、その結果、表示品位が低下するのを抑制することが可能な液晶表示装置および液晶テレビジョン装置を提供する。【解決手段】この液晶テレビジョン装置（液晶表示装置）３００は、ＬＥＤ５０と、ＬＥＤ５０から出射された光が入射する光入射面を構成する側面７１と、底面７２と、光出射面を構成する表面７３とを有する導光板７０と、導光板７０の底面７２に設けられ、導光板７０に入射した光を光出射面側に出光させる複数の出光形状部１００と、導光板７０の光出射面上に配置された液晶セル１３０とを備え、導光板７０の底面７２に設けられた複数の出光形状部１００は、配置間隔または面積の少なくとも一方が不規則になるように配置されている。【選択図】図２
2012237897.tif 000002
【特許請求の範囲】
【請求項１】
光源と、
前記光源から出射された光が入射する光入射面を構成する側面と、底面と、光出射面を構成する表面とを有する導光板と、
前記導光板の前記底面に設けられ、前記導光板に入射した光を前記光出射面側に出光させる複数の出光形状部と、
前記導光板の前記光出射面上に配置された液晶セルとを備え、
前記導光板の前記底面に設けられた前記複数の出光形状部は、配置間隔または面積の少なくとも一方が不規則になるように配置されている、液晶表示装置。
【請求項２】
前記複数の出光形状部は、配置間隔または面積の少なくとも一方が不規則であるとともに、前記光源からの距離が大きくなるに従って密度が大きくなるように配置されている、請求項１に記載の液晶表示装置。
【請求項３】
前記複数の出光形状部は、少なくとも前記導光板の前記光入射面近傍の所定領域において、配置間隔または面積の少なくとも一方が不規則になるように構成されている、請求項１または２に記載の液晶表示装置。
【請求項４】
前記光源は、前記光入射面の延びる方向に沿って距離Ｄの間隔で複数配置されており、
前記所定領域は、隣り合う前記光源間の前記距離Ｄと、前記導光板の光入射面から前記光入射面とは反対側の側面に向かう方向の距離Ｌとの比Ｌ／Ｄが、Ｌ／Ｄ≦１の関係を満たす領域である、請求項３に記載の液晶表示装置。
【請求項５】
前記複数の出光形状部は、前記導光板の前記光入射面近傍の所定領域のみならず、前記所定領域以外の領域を含む前記導光板の全体に渡って、配置間隔または面積の少なくとも一方が不規則になるように構成されている、請求項３または４に記載の液晶表示装置。
【請求項６】
前記光源は、前記導光板の前記光入射面の延びる第１方向に沿って間隔を隔てて複数配置され、
前記出光形状部の配置間隔は、前記第１方向および前記第１方向と直交する第２方向の少なくともいずれか一つの方向に対して、不規則である、請求項１〜５のいずれか１項に記載の液晶表示装置。
【請求項７】
前記出光形状部の配置間隔は、前記第１方向に対して、不規則である、請求項６に記載の液晶表示装置。
【請求項８】
前記複数の出光形状部は、面積が、不規則になるように構成されている、請求項１〜７のいずれか１項に記載の液晶表示装置。
【請求項９】
前記光源は、点光源により構成されており、
前記点光源から出射された光は、配置間隔または面積の少なくとも一方が不規則になるように配置された前記複数の出光形状部によって前記光出射面側に出光される、請求項１〜８のいずれか１項に記載の液晶表示装置。
【請求項１０】
光源と、
前記光源から出射された光が入射する光入射面を構成する側面と、底面と、光出射面を構成する表面とを有する導光板と、
前記導光板の前記底面に設けられ、前記導光板に入射した光を前記光出射面側に出光させる複数の出光形状部と、
前記導光板の前記光出射面上に配置された液晶セルと、
テレビジョン放送を受信する受信部とを備え、
前記導光板の前記底面に設けられた前記複数の出光形状部は、配置間隔または面積の少なくとも一方が不規則になるように配置されている、液晶テレビジョン装置。
【発明の詳細な説明】
【技術分野】
【０００１】
この発明は、液晶表示装置および液晶テレビジョン装置に関し、特に、光源から出射された光を導光板の光出射面側に出光させる出光形状部を備えた液晶表示装置および液晶テレビジョン装置に関する。
【背景技術】
【０００２】
従来、光源から出射された光を導光板の光出射面側に出光させる出光形状部を備えた液晶表示装置が知られている（たとえば、特許文献１参照）。
【０００３】
上記特許文献１には、光源と、導光板と、出光形状部と、液晶セルとを備え、光源が導光板の側面に対向するように配置されたエッジライト型の液晶モジュールが開示されている。出光形状部は、導光板の裏面側に複数設けられており、光源から導光板に向けて出射された光を導光板の光出射面側に出光させる機能を有する。
【０００４】
上記特許文献１に開示されたような従来のエッジライト型モジュールに設けられる導光板では、複数の出光形状部を光源の位置と対応させて配置する場合がある。具体的には、出光形状部は、光源に面する導光板の領域（光の入射量が多い領域）では、出光形状部の数が相対的に少なくなるように（出光形状部の密度が疎になるように）配置され、光源間に位置する導光板の領域（光の入射量が少ない領域）では、出光形状部の数が相対的に多くなるように（出光形状部の密度が密になるように）配置されている。疎密に分布した出光形状部は、光の入射量が少ない領域において、光の入射量が多い領域に比べて、より多くの光を導光板の光出射面側に出光させる。これにより、光の入射量が多い領域と光の入射量が少ない領域とで、それぞれの領域において導光板の光出射面側に出光される光量を均一化して、表示品位を維持することができる。
【先行技術文献】
【特許文献】
【０００５】
【特許文献１】特開２００７−１２３２３号公報
【発明の概要】
【発明が解決しようとする課題】
【０００６】
しかしながら、上記のようなエッジライト型モジュールでは、光源と導光板との相対的な位置ずれが発生すると、出光形状部が密に設けられている領域と光源とが面し、出光形状部が疎に設けられている領域と光源間の位置とが面する状況が起こり得る。この場合、光の入射量が多い領域では、密に設けられた出光形状部により光が多く導光板の光出射面側に出光される。一方、光の入射量が少ない領域では、疎に設けられた出光形状部により光があまり導光板の光出射面側に出光されないことになる。このため、従来、光源と導光板との相対的な位置ずれが発生した場合に、導光板から出射される光量が著しく変化して不均一になり、その結果、表示品位が低下するという問題点があった。
【０００７】
この発明は、上記のような課題を解決するためになされたものであり、この発明の一つの目的は、エッジライト型モジュールを備える液晶表示装置において、導光板と光源との位置ずれが発生した場合にも、表示品位が低下するのを抑制することが可能な液晶表示装置および液晶テレビジョン装置を提供することである。
【課題を解決するための手段および発明の効果】
【０００８】
この発明の第１の局面による液晶表示装置は、光源と、光源から出射された光が入射する光入射面を構成する側面と、底面と、光出射面を構成する表面とを有する導光板と、導光板の底面に設けられ、導光板に入射した光を光出射面側に出光させる複数の出光形状部と、導光板の光出射面上に配置された液晶セルとを備え、導光板の底面に設けられた複数の出光形状部は、配置間隔または面積の少なくとも一方が不規則になるように配置されている。
【０００９】
この発明の第１の局面による液晶表示装置では、上記のように、導光板の底面に設けられた複数の出光形状部を、配置間隔または面積の少なくとも一方が不規則になるように配置することよって、出光形状部を、光源の配置位置に対応させて導光板に配置する必要がないので、導光板と光源との位置ずれが発生した場合の導光板の出射光量の変化を抑制することができる。これにより、導光板と光源との位置ずれが発生した場合にも、表示品位が低下するのを抑制することができる。
【００１０】
上記第１の局面による液晶表示装置において、好ましくは、複数の出光形状部は、配列間隔または面積の少なくとも一方が不規則であるとともに、光源からの距離が大きくなるに従って密度が大きくなるように配置されている。このように構成すれば、不規則に配置された出光形状部により導光板と光源とのずれが発生した場合にも表示品位が低下するのを抑制しながら、光源から届く光量が少なくなる光源から離れた位置において高密度で配置された出光形状部により、効率的に光が導光板の光出射面側に出光されて導光板の光出射面の全面にわたって十分な光出射量を確保することができる。
【００１１】
上記第１の局面による液晶表示装置において、好ましくは、複数の出光形状部は、少なくとも導光板の光入射面近傍の所定領域において、配置間隔または面積の少なくとも一方が不規則になるように構成されている。このように構成すれば、光源との距離が小さいために光の入射量に起因する輝度差が表れやすい導光板の光入射面近傍において、導光板と光源との位置ずれに起因する導光板の出射光量の変化を抑制することができる。これにより、導光板の光入射面近傍において、表示品位が低下するのを効果的に抑制することができる。
【００１２】
この場合、好ましくは、光源は、光入射面の延びる方向に沿って距離Ｄの間隔で複数配置されており、所定領域は、隣り合う光源間の距離Ｄと、導光板の光入射面から光入射面とは反対側の側面に向かう方向の距離Ｌとの比Ｌ／Ｄが、Ｌ／Ｄ≦１の関係を満たす領域である。このように構成すれば、導光板の光の入射量が多い領域と導光板の光の入射量が少ない領域との光量差が表れやすい導光板の光入射面近傍のＬ／Ｄ≦１となる領域において、容易に表示品位が低下するのを抑制することができる。
【００１３】
上記少なくとも導光板の光入射面近傍の所定領域において複数の出光形状部の配置間隔または面積の少なくとも一方が不規則となる構成において、好ましくは、複数の出光形状部は、導光板の光入射面近傍の所定領域のみならず、所定領域以外の領域を含む導光板の全体に渡って、配置間隔または面積の少なくとも一方が不規則になるように構成されている。このように構成すれば、導光板と光源との位置ずれが発生した場合に、導光板の全体にわたって出射光量の変化を抑制することができるので、導光板と光源との位置ずれが発生した場合にも、表示品位が低下するのを液晶セルの表示領域の全体にわたって抑制することができる。
【００１４】
上記第１の局面による液晶表示装置において、好ましくは、光源は、導光板の光入射面の延びる第１方向に沿って間隔を隔てて複数配置され、出光形状部の配置間隔は、第１方向および第１方向と直交する第２方向の少なくともいずれか一つの方向に対して、不規則である。このように構成すれば、導光板の光入射面の延びる第１方向および第１方向と直交する第２方向の少なくともいずれか一つの方向に沿って、導光板と光源とを厳密に位置合わせする必要がないため、導光板と光源との位置ずれが発生した場合にも、表示品位の低下を抑制することができる。
【００１５】
この場合、好ましくは、複数の出光形状部の配置間隔が、導光板の光入射面の延びる第１方向に対して、不規則である。このように構成すれば、光の入射量が多い領域と光の入射量が少ない領域とは、光源が配列される第１方向に沿って表れるため、出光形状部の配置間隔を第１方向に対して不規則にすることによって、第１方向の位置ずれの影響を有効に抑制することができる。
【００１６】
上記第１の局面による液晶表示装置において、好ましくは、複数の出光形状部の面積が、不規則になるように構成されている。このように構成すれば、複数の出光形状部の配置間隔が同じ場合にも、容易に、複数の出光形状部を不規則化することができる。
【００１７】
上記第１の局面による液晶表示装置において、好ましくは、点光源から出射された光は、配置間隔または面積の少なくとも一方が不規則になるように配置された複数の出光形状部によって導光板の光出射面側に出光される。このように光の入射量が多い領域と光の入射量が少ない領域とが導光板に表れ易い点光源を用いた場合にも、不規則に配置された出光形状部により、導光板と光源との位置ずれに起因する表示品位の低下を抑制することができる。
【００１８】
この発明の第２の局面による液晶テレビジョン装置は、光源と、光源から出射された光が入射する光入射面を構成する側面と、底面と、光出射面を構成する表面とを有する導光板と、導光板の底面に設けられ、導光板に入射した光を光出射面側に出光させる複数の出光形状部と、導光板の光出射面上に配置された液晶セルと、テレビジョン放送を受信する受信部とを備え、導光板の底面に設けられた複数の出光形状部は、配置間隔または面積の少なくとも一方が不規則になるように配置されている。
【００１９】
この発明の第２の局面による液晶テレビジョン装置では、上記のように、導光板の底面に設けられた複数の出光形状部を、配置間隔または面積の少なくとも一方が不規則になるように配置することよって、出光形状部を、光源の配置位置に対応させて導光板に配置する必要がないので、導光板と光源との位置ずれが発生した場合の導光板の出射光量の変化を抑制することができる。これにより、テレビジョン装置において、導光板と光源との位置ずれが発生した場合にも、表示品位が低下するのを抑制することができる。
【図面の簡単な説明】
【００２０】
【図１】本発明の第１実施形態による液晶テレビジョン装置の全体構成を示した斜視図である。
【図２】図１に示した液晶テレビジョン装置の５００−５００線に沿った断面図である。
【図３】図２に示した液晶テレビジョン装置の下部の拡大断面図である。
【図４】図２に示した液晶テレビジョン装置の導光板の構成を示した正面図である。
【図５】図２に示した液晶テレビジョン装置のＬＥＤ近傍の導光板の構成を示した正面図である。
【図６】図５に示した導光板の出光形状部のパターンを示した正面図である。
【図７】本発明の第２実施形態による液晶テレビジョン装置の導光板の構成を示した正面図である。
【図８】図７に示した液晶テレビジョン装置のＬＥＤ近傍の導光板の構成を示した正面図である。
【図９】本発明の第１および第２実施形態による液晶テレビジョン装置の変形例における導光板の出光形状部のパターンを示した正面図である。
【発明を実施するための形態】
【００２１】
（第１実施形態）
以下、図１〜図６を参照して、本発明の第１実施形態による液晶テレビジョン装置３００の構成について説明する。なお、液晶テレビジョン装置３００は、本発明の「液晶表示装置」および「液晶テレビジョン装置」の一例である。
【００２２】
第１実施形態による液晶テレビジョン装置３００は、図１および図２に示すように、フロントキャビネット１０と、リアキャビネット２０と、液晶モジュール３０と、チューナ４０とを備えている。液晶モジュール３０は、ＬＥＤ５０と、ＬＥＤ基板６０と、導光板７０と、モールドフレーム８０と、液晶セル１３０とを含んでいる。なお、ＬＥＤ５０は、本発明の「光源」および「点光源」の一例であり、チューナ７０は、本発明の「受信部」の一例である。
【００２３】
フロントキャビネット１０は、液晶テレビジョン装置３００の前側（Ｚ１方向側）に配置されている。フロントキャビネット１０は、液晶テレビジョン装置３００の前側（Ｚ１方向側）から液晶モジュール３０が配置されたモールドフレーム８０に係合している。
【００２４】
リアキャビネット２０は、液晶テレビジョン装置３００の後側（Ｚ２方向側）に配置されている。リアキャビネット２０は、液晶テレビジョン装置３００の後側（Ｚ２方向側）から液晶モジュール３０が配置されたモールドフレーム８０に係合している。
【００２５】
また、チューナ４０は、フロントキャビネット１０とリアキャビネット２０とに囲まれた空間に収容されている。
【００２６】
液晶モジュール３０は、モールドフレーム８０によって固定されて、フロントキャビネット１０とリアキャビネット２０とに囲まれた空間内に収容されている。
【００２７】
ＬＥＤ５０は、ＬＥＤ基板６０に取り付けられており、これらのＬＥＤ５０およびＬＥＤ基板６０は、導光板７０の下部（Ｙ２方向）近傍に設けられている。ＬＥＤ５０からは、導光板７０に向けて光が出射される。
【００２８】
ここで、本実施形態では、図４に示すように、ＬＥＤ５０が、一定の配置間隔（ピッチ）ＤでＸ方向に配置されている。Ｘ方向に配置されるＬＥＤ５０は、導光板７０の側面７１に対して平行で、側面７１から僅かな間隔を隔てて対向するように配置されている。なお、本実施形態では、配置間隔Ｄは、約１０ｍｍである。
【００２９】
導光板７０は、図２および図３に示すように、略矩形の平板状に構成されており、ＬＥＤ５０から出射された光が入射する光入射面を構成する側面７１と、底面７２と、光出射面を構成する表面７３とを含んでいる。また、反射シート９０は、導光板７０の底面７２、ＬＥＤ５０およびＬＥＤ基板６０のＹ２方向側を覆うように設けられている。これにより、ＬＥＤ５０から導光板７０に出射された光および導光板７０の底面７２から裏面側（Ｚ２方向側）へ漏れた光は、反射シート９０によって反射されて、導光板７０の表面７３から有効に出射できるようにしている。また、導光板７０の表面側（Ｚ１方向側）には、Ｚ２方向から順番に、拡散シート１１０とレンズシート１２０とが配置されている。
【００３０】
複数の出光形状部１００が、図２〜図４に示すように、導光板７０の底面７２の全体にわたって底面７２から突出するように設けられている。出光形状部１００は、射出成形法によって導光板７０と一体的に形成されている。導光板７０に入射した光は、導光板７０の内部で全反射を繰り返しながら、導光板７０の内部をＹ２方向からＹ１方向に向けて進む。光は、出光形状部１００により表面７３に対する入射角を変えられることによって、導光板７０の表面７３から出射される。出光形状部１００は、表面７３側（Ｚ１方向側）から見た場合、図６に示すように、円形状を有している。また、出光形状部１００は、側面方向（Ｘ１方向からＸ２方向）から見た場合、導光板７０の底面７２に対して、凸形状を有している。また、すべての出光形状部１００は、略同じ大きさを有している。ここで、本実施形態では、出光形状部１００の表面７３側（Ｚ１方向側）から見た場合の直径は、約０．４ｍｍである。
【００３１】
次に、出光形状部１００のパターンについて説明する。図４〜図６に示すように、出光形状部１００の配置間隔は、所定領域７５において、ＬＥＤ５０が配置されている第１方向（Ｘ方向）に対して不規則的に配置されている。所定領域７５は、導光板７０の光入射面である表面７３近傍の領域であり、Ｌ＝０からＬ＝Ｄ（ＬはＹ方向の距離）までの領域である。すなわち、所定領域７５は、Ｌ／Ｄ≦１となる領域である。一方、所定領域７５よりもＹ１方向側の均等に３分割された領域７６〜７８における出光形状部１００の配置間隔は、ＬＥＤ５０が配置されている第１方向（Ｘ方向）に対して規則的に配置されている。
【００３２】
また、図５および図６に示すように、所定領域７５（Ｌ／Ｄ≦１の領域に相当する）では、導光板７０の側面７１と略平行であるＬＥＤ５０が配置される第１方向（Ｘ方向）に対して、隣り合う出光形状部１００は、不規則な間隔で配置されている。一方、第１方向と略直交する第２方向（Ｙ方向）に沿って、隣り合う出光形状部１００は、略一定の間隔Ｐだけ離れて配置されている。所定領域７５では、複数のＬＥＤ５０から出射された光が十分に重ね合わさらないので、ＬＥＤ５０に対向する光の入射量が多い領域Ａ１（図５参照）、ＬＥＤ５０間の位置に対向する光の入射量が少ない領域Ａ２（図５参照）とにおける光量の差が大きくなる。このため、所定領域７５では、ＬＥＤ５０の配列方向（Ｘ方向）に沿って、相対的に明るい領域（ＬＥＤ５０に面する光の入射量が多い領域Ａ１）と、相対的に暗い領域（ＬＥＤ５０間の位置に面する光の入射量が少ない領域Ａ２）とが、規則的に現れる。第１実施形態では、出光形状部１００が、Ｘ方向に沿って、導光板７０の底面７２に不規則に配置されるため、領域Ａ１の出射光量と、領域Ａ２の出射光量とが、それぞれ、Ｘ方向にばらつく。その結果、領域Ａ１と領域Ａ２との明暗の差が小さくなる。
【００３３】
言い換えると、液晶セル１３０の輝度差および色ムラの原因となる導光板７０の明暗の境界が、曖昧になることによって、液晶セル１３０に色ムラが現れることを抑制することが可能になる。また、導光板７０とＬＥＤ５０との位置ずれが発生した場合にも、出光形状部１００の配置が不規則なので、導光板から出射される光量が不均一になることを抑制することが可能になる。
【００３４】
領域７６〜７８（Ｌ／Ｄ＞１の領域に相当する）では、導光板７０の側面７１と略平行にＬＥＤ５０が配置されている第１方向（Ｘ方向）に対して、隣り合う出光形状部１００は、一定の間隔Ｐだけ離して配置されている。一方、第１方向と直交する第２方向（Ｙ方向）に対して、隣り合う出光形状部１００は、Ｙ２方向からＹ１方向に向かって、間隔Ｐが徐々に狭くなるように配置されている。この領域では、複数のＬＥＤ５０から出射された光が十分に重ね合わさるので、ＬＥＤ５０に対向する導光板の領域と、ＬＥＤ５０間の領域に対向する導光板の領域との光量の差は、液晶セルの輝度差となって現れるほどではないため、隣り合う出光形状部１００は、第１方向（Ｘ方向）に対して、略一定の間隔Ｐだけ離して配置されている。
【００３５】
出光形状部１００は、図４に示すように、Ｙ２方向からＹ１方向に向けて、隣り合う出光形状部１００の間隔が狭くなるように導光板７０に構成されている。出光形状部１００は、それぞれ、略同一の大きさで構成されているため、ＬＥＤ５０から離れるに従って、出光形状部１００の密度が増えるように構成されている。これによって、ＬＥＤ５０から遠く光量が少なくなる部分でも、出光形状部１００の密度を大きくすることよって表面７３に向けて多くの光を照射することが可能になる。
【００３６】
拡散シート１１０は、図２に示すように、導光板７０の表面７３（Ｚ１方向）上に配置されており、光を液晶セル１３０に均一に照射する機能を有する。また、レンズシート１２０は、拡散シート１１０の表面（Ｚ１方向）上に配置されており、表示面状の輝度を向上させる機能を有する。
【００３７】
液晶セル１３０は、図２および図３に示すように、モードフレーム９０のＺ１方向に固定されている。また、液晶セル１３０の表面側（Ｚ１方向側）には、反射防止シート１４０が配置されている。
【００３８】
第１実施形態では、上記のように、複数の出光形状部１００を、配置間隔が不規則になるように配置することよって、出光形状部１００を、ＬＥＤ５０の配置に対応させて導光板７０に配置する必要がないので、導光板７０とＬＥＤ５０との位置ずれが発生した場合の導光板の出射光量の変化を抑制することができるので、導光板７０とＬＥＤ５０との位置ずれが発生した場合にも、表示品位が低下するのを抑制することができる。
【００３９】
第１実施形態では、上記のように、複数の出光形状部１００の配列間隔を不規則にするとともに、ＬＥＤ５０からの距離が大きくなるに従って出光形状部１００の密度が大きくなるように配置することによって、不規則に配置された出光形状部１００により導光板７０とＬＥＤ５０とのずれが発生した場合にも表示品位が低下するのを抑制しながら、ＬＥＤ５０から届く光量が少なくなる位置において、高密度で配置された出光形状部１００により効率的に光が導光板７０の表面７３側に出光されて、導光板７０の表面７３の全面にわたって十分な出射光量を確保することができる。
【００４０】
第１実施形態では、上記のように、隣り合うＬＥＤ５０間の距離Ｄと、導光板７０の光入射面からのＹ１方向の距離Ｌとの比Ｌ／Ｄが、Ｌ／Ｄ≦１の関係を満たす所定領域７５において、複数の出光形状部１００の配列間隔を不規則とすることによって、光の入射量に起因する輝度差の影響が表れやすい導光板７０の光入射面近傍のＬ／Ｄ≦１となる領域において、容易に表示品位が低下するのをより効果的に抑制することができる。
【００４１】
第１実施形態では、上記のように、出光形状部１００の配置間隔を、ＬＥＤ５０が配置される第１方向に対して不規則にすることによって、光の入射量が多い領域Ａ１と光の入射量が少ない領域Ａ２とは、ＬＥＤ５０が配列される第１方向に沿って表れやすいため、第１方向の位置ずれの影響を有効に抑制することができる。
【００４２】
第１実施形態では、上記のように、ＬＥＤ５０から出射された光を、配置間隔が不規則になるように配置された複数の出光形状部１００によって導光板７０の表面７３側に出光させるように構成することによって、光が放射状に出射されることから、光の入射量が多い領域Ａ１と光の入射量が少ない領域Ａ２とが導光板７０に表れ易い点光源であるＬＥＤ５０を用いた場合にも、不規則に配置された出光形状部１００により、導光板７０とＬＥＤ５０との位置ずれに起因する表示品位の低下を抑制することができる。
【００４３】
（第２実施形態）
以下、図７および図８を参照して、本発明の第２実施形態による液晶テレビジョン装置４００（図１参照）の構成について説明する。なお、液晶テレビジョン装置４００は、本発明の「液晶表示装置」および「液晶テレビジョン装置」の一例である。
【００４４】
この第２実施形態では、領域７６〜７８における出光形状部１００の配置間隔を、第１方向（Ｘ方向）に対して規則的に設定した第１実施形態と異なり、領域７６〜７８における出光形状部１００の配置間隔を、第１方向（Ｘ方向）に対して不規則に設定した液晶テレビジョン表示装置４００について説明する。
【００４５】
図７および図８に示すように、第２実施形態による液晶テレビジョン装置４００の導光板１７０では、所定領域７５および領域７６〜７８における出光形状部１００の配置間隔が、第１方向（Ｘ方向）に対して不規則になっている。なお、所定領域７５における出光形状部１００の配置は、上記第１実施形態と同様である。
【００４６】
第２実施形態では、領域７６〜７８においても所定領域７５と同じように、隣り合う出光形状部１００が、第１方向（Ｘ方向）に対して、不規則な間隔で配置されている。したがって、導光板１７０の全領域にわたって、出光形状部１００の配置間隔が、第１方向（Ｘ方向）に対して、不規則となっている。
【００４７】
また、領域７６〜７８では、出光形状部１００は、図７に示すように、Ｙ２方向からＹ１方向に向けて、隣り合う出光形状部１００の間隔が徐々に狭くなるように導光板１７０に構成されている。出光形状部１００は、それぞれ、略同一の大きさで構成されているため、光源から離れるに従って、出光形状部１００の密度が増えるように構成されている。これによって、光源から遠く光量が少なくなる部分でも、出光形状部１００の密度を大きくすることよって表面７３に向けて多くの光を照射することが可能になる。
【００４８】
なお、第２実施形態のその他の構成は、上記第１実施形態と同様である。
【００４９】
第２実施形態では、上記のように、複数の出光形状部１００を、導光板１７０の全体に渡って、配置間隔を不規則になるように構成することによって、導光板１７０とＬＥＤ５０との位置ずれが発生した場合に、導光板１７０の全体にわたって出射光量の変化を抑制することができので、導光板１７０とＬＥＤ５０との位置ずれが発生した場合にも、表示品位が低下するのを液晶セルの表示領域の全体にわたって抑制することができる。
【００５０】
なお、第２実施形態のその他の効果は、上記第１実施形態と同様である。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
上記第１および第２実施形態では、本発明を、液晶テレビジョン装置に適用した例を示したが、本発明はこれに限られない。本発明は、液晶テレビジョン装置以外の液晶表示装置に適用してもよい。
【００５３】
上記第１および第２実施形態では、導光板７０（１７０）に設けられた複数の出光形状部１００の配置間隔が不規則である例を示したが、本発明はこれに限られない。図９に示す変形例のように、複数の出光形状部２００の面積が、不規則になるように配置されていてもよい。また、複数の出光形状部の配置間隔と面積との両方を不規則にしてもよい。
【００５４】
上記第１実施形態では、複数の出光形状部１００を、距離Ｄと距離Ｌとの比Ｌ／Ｄが、Ｌ／Ｄ≦１の関係を満たす所定領域７５において、配置間隔が不規則になるように構成し、上記第２実施形態では、複数の出光形状部１００を、所定領域７５およびＬ／Ｄ＞１の領域７６〜７８の全領域において、配置間隔が不規則になるように構成した例を示したが、本発明はこれに限られない。複数の出光形状部は、Ｌ／Ｄ＞１の関係を満たす領域において、配置間隔が不規則になるように構成されていてもよい。
【００５５】
上記第１および第２実施形態では、出光形状部１００の配置間隔が、ＬＥＤ５０が配置される第１方向（Ｘ方向）に対して不規則である例を示したが、本発明はこれに限られない。出光形状部の配置間隔は、第１方向と直交する第２方向（Ｙ方向）に対して、不規則であってもよい。また、出光形状部の配置間隔は、光源が配置される第１方向（Ｘ方向）および第１方向と直交する第２方向（Ｙ方向）の両方の方向に対して、不規則であってもよい。
【００５６】
上記第１および第２実施形態では、出光形状部１００の密度が、ＬＥＤ５０から離れるに従って大きくなるように構成されている例を示したが、本発明はこれに限られない。出光形状部１００の密度は、ＬＥＤ５０からの距離にかかわらず一定にしてもよい。
【００５７】
上記第１および第２実施形態では、出光形状部１００が円形状である例を示したが、本発明はこれに限られない。出光形状部は、図９に示す変形例のように、円形および楕円形が混在するように構成してもよい。また、出光形状部は、矩形や三角形で構成してもよい。
【００５８】
上記第１および第２実施形態では、出光形状部１００が、導光板７０の側面７１から見た場合、導光板７０（１７０）の底面７２から凸状に突出している例を示したが、本発明はこれに限られない。出光形状部は、側面からみた場合、導光板の底面に対して凹状に窪んでいてもよい。たとえば、矩形状に窪んでもよいし、三角形に窪んでもよい。
【００５９】
上記第１および第２実施形態では、ＬＥＤ５０が、一定の配置間隔（ピッチ）ＤでＸ方向に配置されている例を示したが、本発明はこれに限られない。光源の配置間隔は、一定の配置間隔（ピッチ）でなくてもよい。
【００６０】
上記第１および第２実施形態では、出光形状部１００が、射出成形によって、導光板７０の底面７２に一体的に形成されている例を示したが、本発明はこれに限られない。出光形状部は、スクリーン印刷法などにより導光板に配置されてもよい。
【００６１】
上記第１および第２実施形態では、ＬＥＤ５０が、導光板７０の下部（Ｙ２方向）近傍に設けられている例を示したが、本発明はこれに限られない。光源は、導光板の上面側（側面７４側）または短手側の側面に設けてもよい。
【００６２】
上記第１および第２実施形態では、光源として、ＬＥＤ５０が設けられている例を示したが、本発明はこれに限られない。光源として、ハロゲンランプ、メタルハイドロランプを設けてもよい。
【符号の説明】
【００６３】
４０  チューナ（受信部）
５０  ＬＥＤ（光源、点光源）
７０、１７０  導光板
７１  側面
７２  底面
７３  表面
７５  所定領域
１００、２００  出光形状部
１３０  液晶セル
３００、４００  液晶テレビジョン装置（液晶表示装置）
【図１】
2012237897.tif 000003
【図２】
2012237897.tif 000004
【図３】
2012237897.tif 000005
【図４】
2012237897.tif 000006
【図５】
2012237897.tif 000007
【図６】
2012237897.tif 000008
【図７】
2012237897.tif 000009
【図８】
2012237897.tif 000010
【図９】
2012237897.tif 000011